(57)【要約】【課題】  遊技機の表示装置を小型化する。【解決手段】  本発明に係る遊技機は、その前面に表示装置３２が配置されており、表示装置３２は、映像形成手段を備え、映像形成手段は、液晶ディスプレイと、前記液晶ディスプレイまで光を導く導光板と、前記導光板の周縁端面から前記導光板内に光を入射させるべく配置された第１光源とから構成されている。【選択図】      図１
2006239292.tif 000002
【特許請求の範囲】
【請求項１】
遊技機であって、その前面に表示装置が配置されており、前記表示装置は、映像形成手段を備え、
映像形成手段は、液晶ディスプレイと、前記液晶ディスプレイまで光を導く導光板と、前記導光板の周縁端面から前記導光板内に光を入射させるべく配置された第１光源により構成されていることを特徴とする遊技機。
【発明の詳細な説明】
【技術分野】
【０００１】
本発明は、遊技盤に装着可能なように構成されており、液晶ディスプレイを使用して映像を表示する表示装置を備える遊技機に関する。
【背景技術】
【０００２】
上記した遊技機の表示装置に関する技術が特許文献１に記載されている。
前記表示装置は、液晶ディスプレイと、その液晶ディスプレイの背後に配置されたバックライト・ユニットとを備えている。バックライト・ユニットは、液晶ディスプレイの背面に光を照射するユニットであり、光源と、その光源の光を液晶ディスプレイの背面まで導く導光板と、その導光板の背面を覆う反射板とから構成されている。
このように、前記導光板の背面が反射板で覆われているため、光源が消えた状態でも、前記表示装置の前方から液晶ディスプレイ及び導光板を通して後側を見ることはできない。このため、前記液晶ディスプレイによる映像と別の表示体による映像とを切替えて表示したい場合等は、一般的に、特許文献２に示すように、ハーフミラーが使用される。
前記ハーフミラーを使用する表示装置は、図１０に示すように、遊技盤の前方（左側）から直視可能な位置に第１の表示体９１が配置されており、その第１の表示体９１の手前に表示画面（図示省略）よりも大きなハーフミラー９５が傾斜した状態で配置されている。また、ハーフミラー９５の上方には、遊技盤の前方から見てそのハーフミラー９５に写る位置に第２の表示体９２が配置されている。このため、光源で第１の表示体９１あるいは第２の表示体９２のいずれか一方を照らすことにより、第１の表示体９１の映像と第２の表示体９２の映像とを切替えて表示できるようになる。
【０００３】
【特許文献１】特開２００１−３１１９４４号公報
【特許文献２】特開平６−３３９５６８号公報
【発明の開示】
【発明が解決しようとする課題】
【０００４】
しかし、上記した表示装置では、表示画面よりも大きなハーフミラー９５を所定角度（一般的には45°）に傾斜させた状態でハウジング内に収納しなければならない。このため、そのハウジング内にハーフミラー９５を収納するための広いスペースが必要になり、表示装置の小型化が難しいという問題がある。
また、第２の表示体９２は、ハーフミラー９５に写った状態が遊技者に視認されるため、映像が反転する。このため、第２の表示体９２を鏡像に変換して成形したり、動作させる必要があり、そのプログラム作成が面倒である。
【０００５】
本発明は、上記問題点を解決するためになされたものであり、本発明の技術的課題は、複数の映像を切替え可能な表示装置の奥行き寸法を減少させて小型化を図ること、及び表示装置のプログラム作成を容易にすることである。
【課題を解決するための手段】
【０００６】
上記した課題は、各請求項の発明によって解決される。
請求項１の発明は、
「  遊技機であって、その前面に表示装置が配置されており、前記表示装置は、抽選による当落の結果を遊技者に認識させる第１の映像形成手段と、前記第１の映像形成手段のほぼ真後ろに配置される第２の映像形成手段とからなり、
第１の映像形成手段は、液晶ディスプレイと、前記液晶ディスプレイまで光を導く導光板と、前記導光板の周縁端面から前記導光板内に光を入射させるべく配置された第１光源とから構成されており、
前記導光板は、光出射面と反対側の面に、その導光板の周縁端面から入射した前記第１光源の光を反射させて前記液晶ディスプレイに当てる凹み状の拡散パターン素子を多数備えており、
前記拡散パターン素子は、前記第１光源の消灯時に前記導光板の厚み方向における透明性を損なわないように構成されており、
前記第２の映像形成手段は、前記第１の映像形成手段の前記液晶ディスプレイと前記導光板を介して第２の映像として視認可能であることを特徴とする遊技機。  」を要旨とするものである。
【０００７】
本発明によると、第１の映像形成手段の第１光源を点灯させることによって、その第１光源の光が導光板を介して液晶ディスプレイに導かれ、その液晶ディスプレイに第１の映像が表示される。ここで、第１の映像形成手段は、遊技者から直接観察される映像形成手段であるため、抽選による当落の結果を明確に遊技者に認識させることができる。このとき、液晶ディスプレイ及び導光板の後方に位置する第２映像形成手段（第２の映像）は見えず、表示装置には第１の映像のみが表示される。
次に、第１光源を消灯すると、表示装置の前方から透光状態の液晶ディスプレイ及び導光板を介して第２映像形成手段（第２の映像）が見えるようになる。
即ち、第１光源を点灯させて第１の映像を見せ、次に第１光源を消して第２の映像を見せるような意外性のある演出が可能になる。
このように、液晶ディスプレイに第１の映像を表示したり、その液晶ディスプレイを透光状態にして第２の映像を表示する方式のため、ハーフミラーを使用する場合に比べ、ハウジング内に広いスペースを必要としない。このため、表示装置の奥行き寸法を小さくでき、その表示装置の小型化を図れるようになる。
また、ハーフミラーを使用しないため、表示体を鏡像に変換して成形する必要がなくなり、表示装置のプログラム作成が容易になる。
【０００８】
請求項２の発明は、
「  請求項１に記載の遊技機であって、
導光板における拡散パターン素子間の間隔は、前記導光板の光出射面の輝度分布がほぼ均一になるように、第１光源からの距離が大きくなるにつれて、その間隔が狭くなるように構成されていることを特徴とする遊技機。  」を要旨とするものである。
本発明により、導光板の周縁端面からその導光板内に入射した第１光源の光を拡散パターン素子で反射させて、光出射面から出すことにより、その光出射面の輝度分布をほぼ均一にできるようになる。
【０００９】
請求項３の発明は、
「  請求項１又は請求項２のいずれかに記載の遊技機であって、
拡散パターン素子は、その断面の形状が直角三角形となるように形成されており、前記直角三角形の直角を挟む一辺が光出射面に平行、他辺が光出射面に直角で、その直角三角形の斜辺が第１光源側に配置されていることを特徴とする遊技機。  」を要旨とするものである。
本発明により、拡散パターン素子を、例えば、二等辺三角形状に形成する場合よりも、拡散パターン素子の平面積を小さくでき、導光板の厚み方向における透明度が高くなる。
【００１０】
請求項４の発明は、
「  請求項３に記載の遊技機であって、
拡散パターン素子の断面を表す直角三角形における光出射面に平行な一辺の寸法は、約3μｍに設定されていることを特徴とする遊技機。  」を要旨とするものである。
このため、拡散パターン素子の平面積を非常に小さくできる。
請求項５の発明は、
「  請求項１から請求項４のいずれかに記載の遊技機であって、
第２の映像形成手段は、役物としての模型と、その模型を照らす第２光源とから構成されていることを特徴とする遊技機。  」を要旨とするものである。
このため、第２の映像が立体感のあるものとなり、演出の迫力が増す。
【００１１】
請求項６の発明は、
「  請求項１から請求項４のいずれかに記載の遊技機であって、
第２の映像形成手段は、第２の液晶ディスプレイと、その液晶ディスプレイ用の第２光源とから構成されていることを特徴とする遊技機。  」を要旨とするものである。
このため、第２の映像形成手段の厚み寸法を小さくでき、表示装置の奥行き寸法をさらに小さくできる。
請求項７の発明は、
「  請求項６に記載の遊技機であって、
液晶ディスプレイは、偏光フィルタを備えており、
第２の映像形成手段を構成する液晶ディスプレイの出光側の偏光フィルタと、第１の映像形成手段を構成する液晶ディスプレイの入光側の偏光フィルタとは、偏光方向が等しくなるように配置されていることを特徴とする遊技機。  」を要旨とするものである。
本発明により、前側の液晶ディスプレイ（第１の映像形成手段の液晶ディスプレイ）を透過状態にすれば、表示装置の前方からその前側の液晶ディスプレイを通して後側の液晶ディスプレイに表示された第２の映像を見ることができるようになる。
【００１２】
請求項８の発明は、
「  請求項１から請求項４のいずれかに記載の遊技機であって、
第２の映像形成手段は、自発光する表示器であることを特徴とする遊技機。  」を要旨とするものである。
このため、第２の映像形成手段において専用の光源を必要としない。
請求項９の発明は、
「  請求項８に記載の遊技機であって、
自発光する表示器は、有機ＥＬ素子を用いた表示器であることを特徴とする遊技機。  」を要旨とするものである。
請求項１０の発明は、
「  請求項８に記載の遊技機であって、
自発光する表示器は、発光ダイオードを用いてドッドマトリクス表示を行う表示器であることを特徴とする遊技機。  」を要旨とするものである。
【発明の効果】
【００１３】
本発明によると、表示装置の奥行き寸法を小さくできるため、その表示装置を小型化することが可能になる。また、ハーフミラーを用いないため、表示体を鏡像に変換して成形する必要がなく、表示装置のプログラム作成も容易になる。
【発明を実施するための最良の形態】
【００１４】
［実施形態１］
以下、図１〜図５に基づいて本発明の実施形態１に係る遊技機の説明を行う。本実施形態は、遊技機の一つであるパチンコ機に本発明を適用した例である。ここで、図１はパチンコ機の本体枠とガラス扉とが開かれた状態を示す斜視図、図２はパチンコ機の電源系統及び信号系統を模式的に表すブロック図である。また、図３〜図５は図柄表示装置の構成を表す模式縦断面図等、図６は図柄表示装置に使用される液晶ディスプレイの液晶単位の動作原理を表す模式斜視図である。
【００１５】
［パチンコ機の概要について］
パチンコ機１は、図１に示すように、外枠１０と、その外枠１０に対して扉状に開閉可能に装着されている本体枠１２とを備えている。本体枠１２は、遊技盤２０や球発射装置１５、払出し装置１６等、パチンコ機１の各種電装機器を支持する枠体である。また、本体枠１２の前側には、遊技盤２０等を覆う構成のガラス扉１４がその本体枠１２に対して開閉可能に装着されている。
遊技盤２０はほぼ四角形板状に形成されており、その前面に遊技盤面が設けられている。遊技盤面には、案内レール２１が設けられており、その案内レール２１によって球発射通路２３と遊技領域２４とが区画されている。球発射装置１５により発射された遊技球（図示省略）は、球発射通路２３によって遊技領域２４の上部に案内されるように構成されている。
遊技盤２０には、遊技領域２４のほぼ中央部に図柄表示装置３２を備えるセンタ役物装置３０が配置されており、そのセンタ役物装置３０の周囲に入賞装置等の役物装置や風車器、誘導釘、ランプ装飾部材等の各種の装備品（図示省略）が配設されている。
【００１６】
［パチンコ機の配線ブロック図の概要について］
パチンコ機１の電源系統及び信号系統を配線ブロック図（図２参照）に基づいて簡単に説明する。
交流電源ＡＣから供給された交流電力は、電源スイッチＳ１を経た後、本体枠１２側の分電基板１０２、電源基板１０４に供給され、電源基板１０４で直流電力に変換された後、遊技球の払出しを制御する払出制御基板１０５に供給される。また、前記直流電力は、払出制御基板１０５を介して遊技盤２０に装着された主制御基板１２０、副制御基板１２３及び図柄制御基板３４等に供給される。
また、交流電源ＡＣから供給された交流電力は、分電基板１０２によってインタフェース基板１０８にも分配供給される。
遊技盤２０側の主制御基板１２０は、ＲＯＭに記憶されたプログラムに従い、ＲＡＭに記憶された遊技情報に基づいて遊技の進行を制御する基板であり、その主制御基板１２０の制御信号（出力信号）が副制御基板１２３や本体枠１２側の払出制御基板１０５に入力される。また、主制御基板１２０の制御信号（出力信号）は特別図柄表示器３３にも入力される。特別図柄表示器３３は四個のＬＥＤから構成された表示器であり、それらＬＥＤの点滅の組み合わせによって抽選の当落を表示する。なお、一般的に、遊技者はそれらＬＥＤの点灯／消灯状態から抽選の当落を認識するのは難しい。
副制御基板１２３は主制御基板１２０の制御信号に基づいて図柄制御基板３４やスピーカ１０９等の周辺機器を制御する。図柄制御基板３４は、副制御基板１２３からの制御信号を表示用信号に変換して図柄表示装置３２に伝達し、その図柄表示装置３２を制御する。
また、副制御基板１２３は、図柄表示装置３２の後部照明５６（後述する）の制御も行う。
【００１７】
［図柄表示装置について］
図柄表示装置３２は、図柄制御基板３４からの信号に基づいて抽選時に装飾図柄を変動表示させながら演出を行う装置であり、遊技者は停止した装飾図柄から抽選の当落を認識することができる。なお、図柄表示装置３２は、低確率状態又は高確率状態等の遊技情報を表示することも可能である。
図柄表示装置３２は、図３（Ａ）の模式縦断面図に示すように、液晶表示ユニット４０と、その液晶表示ユニット４０の後方に配置された映像形成ユニット５０とから構成されている。
液晶表示ユニット４０は、抽選による当落の結果を遊技者に認識させる図柄等である第１の映像Ｃ１（図３（Ｂ）参照）を構成する部分であり、角形板状の液晶ディスプレイ４２を備えている。液晶ディスプレイ４２は、その液晶ディスプレイ４２の画面の画素となる多数の液晶単位１４０（図６参照）が行列状に縦横に並べられることにより構成されている。
個々の液晶単位１４０は、図６（Ａ）に示すように、多数の液晶分子１４６が９０°捻れた状態で並ぶことができるように、それらの液晶分子１４６を挟むように配置された一対の配向膜１４１，１４２を備えている。配向膜１４１，１４２の内面には、一定方向に延びる多数の直線溝１４１ｍ，１４２ｍがほぼ等間隔で形成されており、それらの直線溝１４１ｍ，１４２ｍに沿って液晶分子１４６が並ぶように構成されている。入光側（上側）の配向膜１４１と出光側（下側）の配向膜１４２とは、それぞれの直線溝１４１ｍ，１４２ｍが直交するように（位相差が９０°となるように）重ねられる。このため、多数の液晶分子１４６は一対の配向膜１４１，１４２の間で９０°捻れた状態で並ぶようになる。
【００１８】
配向膜１４１，１４２の外側には、それらの配向膜１４１，１４２に挟まれた液晶分子１４６に対して電圧を加えるための透明電極（図示省略）が配置されている。さらに、配向膜１４１，１４２の外側には、入光側偏光フィルタ１４３と出光側偏光フィルタ１４４とが設けられている。入光側偏光フィルタ１４３は、入光側の配向膜１４１の直線溝１４１ｍと同方向に振動する光Ｌが通過できるように配置されている。また、出光側偏光フィルタ１４４は出光側の配向膜１４２の直線溝１４２ｍと同方向に振動する光Ｌが通過できるように配置されている。即ち、入光側偏光フィルタ１４３と出光側偏光フィルタ１４４とは偏光方向が９０°ずれるように配置されている。
したがって、図６（Ａ）に示すように、前記透明電極に電圧が加わっていない状態では、入光側偏光フィルタ１４３、入光側の配向膜１４１を通過した光Ｌは、多数の液晶分子１４６によって９０°捻られ、出光側の配向膜１４２、出光側偏光フィルタ１４４を通過するようになる。
一方、前記透明電極に電圧が加わると、図６（Ｂ）に示すように、入光側の配向膜１４１と出光側の配向膜１４２との間で液晶分子１４６が捻れないで電界の方向に並ぶようになる。これによって、入光側偏光フィルタ１４３、入光側の配向膜１４１を通過した光Ｌは、多数の液晶分子１４６の並びに沿って直進し、出光側の配向膜１４２を通過した後、出光側偏光フィルタ１４４で遮断される。
したがって、個々の液晶単位１４０に対し、透明電極に加わる電圧をＯＮ／ＯＦＦして光Ｌの遮断／通過を制御することにより、第１の映像Ｃ１を表示できるようになる。
【００１９】
液晶表示ユニット４０は、図３（Ａ）等に示すように、液晶ディスプレイ４２の後方で、その液晶ディスプレイ４２と平行に配置された角形の導光板４４を備えている。導光板４４は、その導光板４４の一端面４４ｅから入射したセル用光源４６（後記する）の光Ｌ１を均一に面発光させて液晶ディスプレイ４２の裏面（入光面）に照射する透明板であり、例えば、アクリルやポリカーボネート等により形成されている。
導光板４４は、その光出射面４４ｒと反対側の面に、光Ｌ１を反射させる凹み状の拡散パターン素子４４ｐを多数備えている。拡散パターン素子４４ｐは、セル用光源４６の光Ｌ１が入射する一端面４４ｅに対して平行な方向（横方向）と、その一端面４４ｅに対して直角な方向（縦方向）とに並べられている。そして、縦方向、及び／又は、横方向における拡散パターン素子４４ｐ間の間隔が、光出射面４４ｒの輝度分布をほぼ均一できるように、セル用光源４６からの距離が大きくなるにつれて、その間隔が狭くなるように構成されている。
また、拡散パターン素子４４ｐは、導光板４４の一端面４４ｅに対して垂直な断面の形状が直角三角形となるように形成されており、その直角三角形の直角を挟む一辺が光出射面４４ｒに平行で、前記直角を挟む他辺が光出射面４４ｒに直角に設定されている。さらに、前記直角三角形の斜辺がセル用光源４６側に配置されている。
【００２０】
図４（Ａ）に示すように、セル用光源４６から導光板４４の一端面４４ｅに入射した光は、その導光板４４と大気との境界部分で全反射を繰り返しながら前記導光板４４内を進んでいく。そして、前記光が導光板４４内を進んでいくうちに、拡散パターン素子４４ｐの斜辺部分に当たってこの部分で乱反射し、乱反射した光のうち全反射角よりも小さくなった成分の光が光出射面４４ｒから外部に放射される。
ここで、拡散パターン素子４４ｐの幅寸法Ｗは約3μｍであり、その拡散パターン素子４４ｐの頂角（導光板４４の厚み方向に延びる仮想直線に対する拡散パターン素子４４ｐの斜辺の角度）は約42°に設定されている。このように、拡散パターン素子４４ｐの平面積を非常に小さくできるため、それらの拡散パターン素子４４ｐが導光板４４の厚み方向における透明性を損なうことがない。拡散パターン素子４４ｐは、例えば、導光板４４を製造する金型により形成されている。
図４（Ｂ）は、従来、一般的に使用されている導光板１６０を表している。この導光板１６０は、反射インクを使用して印刷により拡散パターン素子１６４を形成しており、光源１６６からの距離が大きくなるにつれて拡散パターン素子１６４の面積が大きくなるように設定されている。さらに、前面側への光の反射効率を上げるため、導光板１６０の裏面は反射板１６７によって覆われている。このため、前記導光板１６０には、厚み方向における透明性はない。
なお、図４（Ａ）（Ｂ）において、拡散パターン素子４４ｐ,１６４に当たって乱反射するに示す光の進路は、導光板４４，１６０の略中央に位置する拡散パターン素子４４ｐ,１６４ついて代表的に表しており、他の拡散パターン素子４４ｐ,１６４については図面の見易さの観点から光の進路を途中で省略している。
【００２１】
液晶表示ユニット４０は、液晶ディスプレイ４２と導光板４４とを平行に支持する支持ケース４８を備えている。支持ケース４８は、前後方向に薄い扁平の箱形に形成されており、その前面側に液晶ディスプレイ４２の前面を露出させる前面窓４８ｆが形成されている。また、支持ケース４８の後面側には導光板４４の後面を露出させる後面窓４８ｂが形成されている。
支持ケース４８の内側には、導光板４４の一端面４４ｅの外側に液晶ディスプレイ４２の光源として使用される前述のセル用光源４６が配置されている。セル用光源４６は、導光板４４の一端面４４ｅ（一辺）の長さ寸法にほぼ等しい長さ寸法の線状光源である。セル用光源４６は、そのセル用光源４６から放射された光Ｌ１が外部に漏れることなく、導光板４４の一端面４４ｅからその導光板４４内に入射できるように、支持ケース４８によって覆われている。セル用光源４６は、二台が一組として使用され、各々のセル用光源４６が導光板４４を挟んで反対側に配置されている。セル用光源４６には、例えば、蛍光管の一種である冷陰極管が使用されている。即ち、セル用光源４６が本発明の第１光源に相当する。
セル用光源４６の光Ｌ１は、図３（Ａ）に示すように、導光板４４の一端面４４ｅより入射してその導光板４４の中を全反射しながら進んでいくうちに、前述のように、拡散パターン素子４４ｐに当たって液晶ディスプレイ４２の方向に向きを変える。そして、全反射角より小さくなった成分の光が導光板４４の光出射面４４ｒから出て液晶ディスプレイ４２に当たるようになる。
液晶表示ユニット４０を上記したように構成することで、液晶ディスプレイ４２が透光可能な状態で、セル用光源４６が消灯しているときには、その液晶表示ユニット４０の前方から前面窓４８ｆ、液晶ディスプレイ４２、導光板４４及び後面窓４８ｂを介して液晶表示ユニット４０の後方が透けて見えるようになる。
即ち、液晶表示ユニット４０が本発明の第１の映像形成手段に相当する。
【００２２】
図柄表示装置３２の映像形成ユニット５０は、背景等の第２の映像Ｃ２（図５（Ｂ）参照）を構成する部分であり、液晶表示ユニット４０の後方に小型のステージ状に形成されている。映像形成ユニット５０は、ハウジング５２を備えており、そのハウジング５２の内部に透光状態の液晶ディスプレイ４２、導光板４４を介して第２の映像Ｃ２として見える立体形状の役物としての模型５４が収納されている。模型５４としては、例えば、図３、図５に示すように、乗用車、道路及び風景等の他、飛行機、船等の乗り物とその風景、キャラクタ人形を使用した物語等、種々の物が考えられる。さらに、模型５４の一部、例えば、乗り物やキャラクタ人形を可動構造にすることも可能である。
ハウジング５２の内部には、模型５４を照らす一対の役物用光源５６が設けられている。役物用光源５６は、二台が一組として使用され、各々の役物用光源５６が模型５４をほぼ均等に照らせるような位置に配置されている。役物用光源５６は、副制御基板１２３によって制御される後部照明５６（図２参照）に相当し、セル用光源４６と同様に、例えば、蛍光管の一種である冷陰極管が使用されている。即ち、役物用光源５６が本発明の第２光源に相当し、映像形成ユニット５０が本発明の第２の映像形成手段に相当する。
映像形成ユニット５０の役物用光源５６と液晶表示ユニット４０のセル用光源４６とは、副制御基板１２３及び図柄制御基板３４からの信号に基づき、遊技の所定タイミングで切替え可能に構成されている。
【００２３】
［この実施形態に係る図柄表示装置の作用効果について］
上記した図柄表示装置３２によると、図柄制御基板３４からの信号でセル用光源４６が点灯することによって、図３（Ａ）に示すように、そのセル用光源４６の光Ｌ１が導光板４４を介して液晶ディスプレイ４２に導かれ、液晶ディスプレイ４２による第１の映像Ｃ１が表示される。このとき、役物用光源５６は消灯状態にあり、さらにセル用光源４６は支持ケース４８に覆われているため、そのセル用光源４６の光Ｌ１は映像形成ユニット５０の模型５４に照射されない。このため、液晶ディスプレイ４２及び導光板４４の後方に位置する模型５４は見えず、図柄表示装置３２には第１の映像Ｃ１（図３（Ｂ）参照）のみが表示される。
次に、副制御基板１２３からの信号で役物用光源５６が点灯し、図柄制御基板３４からの信号でセル用光源４６が消灯すると、図５（Ｂ）に示すように、図柄表示装置３２の前方から透光状態の液晶ディスプレイ４２及び導光板４４を介して映像形成ユニット５０の模型５４が第２の映像Ｃ２として見えるようになる。
【００２４】
ここで、模型５４は立体形状であるため、第２の映像Ｃ２が立体感のあるものとなり、演出にさらなる迫力を与えることができる。
このように、図柄制御基板３４及び副制御基板１２３からの信号でセル用光源４６と役物用光源５６とを制御して、第１の映像Ｃ１と第２の映像Ｃ２とを瞬時に切替えるような意外性のある演出が可能になる。
さらに、上記した図柄表示装置３２は、第１の映像Ｃ１を表示する液晶ディスプレイ４２を透光状態にして背後の第２の映像Ｃ２を表示する方式のため、ハーフミラーを使用する場合に比べ、その図柄表示装置３２のハウジング内に広いスペースを必要としない。このため、図柄表示装置３２の奥行き寸法を小さくでき、その図柄表示装置３２の小型化を図れるようになる。
また、ハーフミラーを使用しないため、模型５４等を鏡像に変換して成形する必要がなくなり、図柄表示装置３２のプログラム作成が容易になる。
また、本実施形態に係る導光板４４の拡散パターン素子４４ｐは、断面の形状が直角三角形となるように形成されており、その直角三角形の直角を挟む一辺が光出射面４４ｒに平行、他辺が光出射面４４ｒに直角で、その直角三角形の斜辺がセル用光源４６側に配置されている。このため、拡散パターン素子４４ｐの断面形状を、例えば、二等辺三角形等に形成する場合と比べて、拡散パターン素子４４ｐの平面積を小さくでき、導光板４４の厚み方向の透明度が高くなる。
【００２５】
［実施形態２］
以下、図７、図８に基づいて本発明の実施形態２に係るパチンコ機の説明を行う。本実施形態に係るパチンコ機の図柄表示装置６０は、実施形態１で説明した図柄表示装置３２の映像形成ユニット５０を液晶ユニット４０（後部液晶ユニット４０）に置き換えたものであり、その他の構成は、実施形態１に係る図柄表示装置３２と同様である。
後部液晶ユニット４０の液晶ディスプレイ４２、導光板４４及びセル用光源４６は、実施形態１で説明した前側の液晶ユニット４０の液晶ディスプレイ４２、導光板４４、セル用光源４６と同じであるため同一番号を付して説明を省略する。
後部液晶ユニット４０の支持ケース４９は、前後方向に薄い扁平の箱形に形成されており、後面側が塞がれた状態で、前面側に液晶ディスプレイ４２の前面を露出させる前面窓４９ｆが形成されている。ここで、後部液晶ユニット４０の導光板４４は、前側の液晶ユニット４０における導光板４４のように透明性が要求されないため、拡散パターン素子４４ｐを拡散反射インクで印刷することも可能である。また、凹み状の拡散パターン素子４４ｐの断面形状を適宜変更することも可能である。
【００２６】
後部液晶ユニット４０の液晶ディスプレイ４２（液晶単位１４０）は、図８に示すように、出光側偏光フィルタ１４４の偏光方向が、前側の液晶ユニット４０の液晶ディスプレイ４２（液晶単位１４０）における入光側偏光フィルタ１４３の偏光方向と等しくなるように、配置されている。このため、前後の液晶単位１４０に電圧が加えられていない状態、即ち、液晶単位１４０が透光状態にあるときに、後部液晶ユニット４０のセル用光源４６の光Ｌ２は、図７、図８に示すように、前後の液晶単位１４０（液晶ディスプレイ４２）を通過できるようになる。
このように、映像形成ユニット５０を液晶ユニット４０に置き換えることで、映像形成ユニット５０の厚み寸法（奥行き寸法）を小さくでき、図柄表示装置６０をさらに小型化できる。
【００２７】
［この発明の他の実施形態について］
上記した第１実施形態、第２実施形態では、図柄表示装置３２を前後に重ねられた一台の液晶ユニット４０と一台の映像形成ユニット５０から構成したり、図柄表示装置６０を前後に重ねられた二台の液晶ユニット４０から構成する例を示したが、これに限定されるものではない。
また、セル用光源４６として線光源状の冷陰極管を使用する例を示したが、複数の発光ダイオード等の点光源を線光源状に配列して使用することも可能である。
また、第２実施形態では、映像形成ユニット５０として液晶ディスプレイ４２を備える後部液晶ユニット４０を使用する例を示したが、後部液晶ユニット４０の代わりに自発光する表示器、例えば、有機ＥＬ素子を用いた表示器や発光ダイオードを用いてドッドマトリクス表示を行う表示器を使用することも可能である。図９は、前記表示器により第２の映像Ｃ２を表示させながら、液晶ディスプレイ４２に第１の映像Ｃ１を表示させた例を表している。図示するように、リーチ状態から大当たりになるまでの演出時に第２の映像Ｃ２を表示させることにより、遊技者の期待感を高めることができる。
また、前記表示器の代わりに、発光ダイオードを用いてセグメント表示を行う表示器を使用することも可能である。これによって、映像形成ユニット５０において専用の光源が不要になる。
さらに、図５（Ａ）において、映像形成ユニット５０における役物用光源５６の光Ｌ２の強さを調整することで、前記光Ｌ２を導光板４４により液晶ディスプレイ４２に導いて、その液晶ディスプレイ４２に第１の映像Ｃ１を表示させることもできる。即ち、図柄表示装置３２に、第１の映像Ｃ１と第２の映像Ｃ２との合成映像を表示できるようになる。これによって、第１の映像Ｃ１による動作と第２の映像Ｃ２による動作とを協働させて迫力のある演出を行うことが可能になる。
また、第１実施形態、第２実施形態では、パチンコ機１の図柄表示装置３２に本発明を適用する例を示したが、パチンコ機１以外の遊技機の表示装置に本発明を適用することも可能である。
【００２８】
［他の発明の手段及び作用効果について］
実施形態１、実施形態２に記載されている発明であって、「課題を解決するための手段」には記載されていない発明を以下に列記する。
（１）発明１
「請求項７に記載された遊技機であって、
液晶ディスプレイは、その液晶ディスプレイの画面の画素となる多数の液晶単位から構成されており、
液晶単位は、多数の液晶分子が90°捻れた状態で並ぶことができるように、それらの液晶分子を挟むように配置された一対の配向膜と、
前記配向膜間で前記多数の液晶分子が捻れないで並ぶように、それらの液晶分子に電圧を加えることが可能な透明電極と、
前記一対の配向膜を挟み、液晶分子の並びの捻れに合わせて偏光方向が90°ずれるように配置された一対の入り側偏光フィルタ、出側偏光フィルタとを備えており、
第１の映像を表示可能な液晶ディスプレイの入り側偏光フィルタと、第２の映像を表示可能な液晶ディスプレイの出側偏光フィルタとは、偏光方向が等しくなるように配置されていることを特徴とする遊技機。」
これによって、表示装置の前方から前側の液晶ディスプレイを通して後側の液晶ディスプレイに表示された第２の映像を見ることができるようになる。
（２）発明２
「請求項６に記載された遊技機であって、
第２の映像形成手段は、第２の液晶ディスプレイと、前記液晶ディスプレイまで光を導く第２の導光板と、前記導光板の周縁端面から前記導光板内に光を入射させるべく配置された第２光源とから構成されており、
第２の導光板は、拡散パターン素子が拡散反射インクによって印刷されていることを特徴とする遊技機。」
これによって、導光板の製造が容易になる。
（３）発明３
「請求項５〜請求項７のいずれかに記載された遊技機であって、
第２光源を点灯させるときには、第１の映像形成手段の液晶ディスプレイを透光状態にして第１光源を消灯するように構成されていることを特徴とする遊技機。」
これによって、表示装置の前方から第２の映像が良好に見えるようになる。
【図面の簡単な説明】
【００２９】
【図１】本発明の実施形態１に係るパチンコ機の本体枠とガラス扉とが開かれた状態を示す斜視図である。
【図２】パチンコ機の電源系統、信号系統を模式的に表すブロック図である。
【図３】パチンコ機の図柄表示装置の構成を表す模式縦断面図（Ａ図）及び図柄表示装置の表示画面を表す模式図（Ｂ図）である。
【図４】導光板の拡散パターン素子に光が当たった後、乱反射する様子を表す縦断面図（Ａ図、Ｂ図）である。
【図５】パチンコ機の図柄表示装置の構成を表す模式縦断面図（Ａ図）及び図柄表示装置の表示画面を表す模式図（Ｂ図）である。
【図６】図柄表示装置に使用される液晶ディスプレイの液晶単位の動作原理を表す模式斜視図（Ａ図、Ｂ図）である。
【図７】本発明の実施形態２に係るパチンコ機の図柄表示装置を表す模式縦断面図である。
【図８】液晶ディスプレイを前後に重ねた場合の液晶単位を表す模式斜視図である。
【図９】図柄表示装置の表示画面を表す模式図である。
【図１０】従来の図柄表示装置の動作原理を表す模式縦断面図である
【符号の説明】
【００３０】
４２    液晶ディスプレイ（第１の映像形成手段、第２の映像形成手段）
４４    導光板（第１の映像形成手段、第２の映像形成手段）
４４ｒ  光出射面
４４ｐ  拡散パターン素子
４６    セル用光源（第１光源）
４８    支持ケース
５０    映像形成ユニット（第２の映像形成手段）
５４    役物（第２の映像形成手段）
５６    役物用光源（第２光源）
１４３  入光側偏光フィルタ
１４４  出光側偏光フィルタ
【図１】
2006239292.tif 000003
【図２】
2006239292.tif 000004
【図６】
2006239292.tif 000005
【図８】
2006239292.tif 000006
【図９】
2006239292.tif 000007
【図１０】
2006239292.tif 000008
【図３】
2006239292.tif 000009
【図４】
2006239292.tif 000010
【図５】
2006239292.tif 000011
【図７】
2006239292.tif 000012